(57)【特許請求の範囲】
【請求項１】
基礎地盤上に埋め立てて形成した埋立廃棄物層の表層部に、浸出水を一時貯留すると共に埋立廃棄物層内に浸透させる浸透桝を設ける一方、埋立廃棄物層の深層部に浸出水を集水すると共に排水する浸出水集・排水路を設けて、同浸出水集・排水路から排水された浸出水を環流路を介して上記浸透桝に環流させて、浸出水を循環させる廃棄物の埋立処分システムであって、
浸透桝は、
埋立廃棄物層の表層部に形成した凹状の浸透桝本体と、
同浸透桝本体内に栗石や砕石を充填して形成した充填材層と、
同充填材層の中央部に形成して環流路と接続した環流路接続部と、
同環流路接続部を除く充填材層の上面を被覆した覆土層とを有し、
浸透桝本体の底部は、中央部から左右側方へ向けてそれぞれ上り傾斜状に形成して船底形状とし、
浸透桝本体の底部の中央部と左右側縁部には、周壁に連通孔を形成した横管をそれぞれ水平方向に伸延させて設け、
同各横管の前後端部には、前記覆土層よりも上方へ伸延させて上端開口部を外気と連通させた竪管を設け、
同各竪管中の浸出水を通して浸透桝本体内における貯留浸出水の水位を測定することにより浸透桝本体の閉塞状況を判断可能としていることを特徴とする廃棄物の埋立処分システム。
【発明の詳細な説明】
【０００１】
【発明の属する技術分野】
本発明は、廃棄物の埋立処分システムに関する。
【０００２】
【従来の技術】
従来、廃棄物の埋立処分システムの一形態として、廃棄物埋立地において、埋立廃棄物層内に水路を表層部から深層部へ向けて蛇行させて形成すると共に、同水路内には浸出水を滞水させるための越流ぜきや、水路内の水の流れを確保するために栗石や砕石等を充填して、水路の下端部に埋立廃棄物層の深層部に設けた浸出水集・排水路を接続し、同浸出水集・排水路に上記水路を通して集水された浸出水を、同浸出水集・排水路から水路の上端部に環流させて、同浸出水を循環させるようにした水路循環方式がある。
【０００３】
このようにして、埋立廃棄物層内に浸出水を滞水させないようにして、基礎地盤に浸出水が浸透するのを防止（遮水機能）している。
【０００４】
そして、浸出水集・排水路は、汚水処理場にも接続して、降雨量等の関係で浸出水量が過剰となった場合には、循環させる浸出水の一部を汚水処理場に搬送して遮水機能を確保し、同汚水処理場にて薬品や生物により汚水処理するようにしている。
【０００５】
【発明が解決しようとする課題】
ところが、前記した水路循環方式では、鉄バクテリア等の繁殖により水路が閉塞されやすいという不具合があり、この場合、水路を掘り起こして水路の維持・管理を行わなければならないが、同水路が埋立廃棄物層内にて上下方向に深層部まで伸延しているため、かかる水路を深く掘り起こして行う維持・管理コストの負担が大きくなっているという不具合がある。
【０００６】
そのため、水路循環方式では、浸出水量が殆ど削減されないことから、降雨量等の関係から浸出水量が過剰となりやすく、その結果、汚水処理場に搬送される浸出水量が増えて、同汚水処理場での汚水処理の負荷が大きくなり、汚水処理コスト負担が大きくなっているという不具合がある。
【０００７】
【課題を解決するための手段】
そこで、本発明では、基礎地盤上に埋め立てて形成した埋立廃棄物層の表層部に、浸出水を一時貯留すると共に埋立廃棄物層内に浸透させる浸透桝を設ける一方、埋立廃棄物層の深層部に浸出水を集水すると共に排水する浸出水集・排水路を設けて、同浸出水集・排水路から排水された浸出水を環流路を介して上記浸透桝に環流させて、浸出水を循環させる廃棄物の埋立処分システムであって、浸透桝は、埋立廃棄物層の表層部に形成した凹状の浸透桝本体と、同浸透桝本体内に栗石や砕石を充填して形成した充填材層と、同充填材層の中央部に形成して環流路と接続した環流路接続部と、同環流路接続部を除く充填材層の上面を被覆した覆土層とを有し、浸透桝本体の底部は、中央部から左右側方へ向けてそれぞれ上り傾斜状に形成して船底形状とし、浸透桝本体の底部の中央部と左右側縁部には、周壁に連通孔を形成した横管をそれぞれ水平方向に伸延させて設け、同各横管の前後端部には、前記覆土層よりも上方へ伸延させて上端開口部を外気と連通させた竪管を設け、同各竪管中の浸出水を通して浸透桝本体内における貯留浸出水の水位を測定することにより浸透桝本体の閉塞状況を判断可能としていることを特徴とする廃棄物の埋立処分システムを提供するものである。
【００１２】
【発明の実施の形態】
以下に、本発明の実施の形態について説明する。
【００１３】
すなわち、本発明に係る廃棄物の埋立処分システムは、廃棄物埋立地において、埋立廃棄物層の表層部に浸出水を一時貯留すると共に埋立廃棄物層内に浸透させる浸透桝を設ける一方、埋立廃棄物層の深層部に浸出水を集水すると共に排水する浸出水集・排水路を設けて、同浸出水集・排水路から排水された浸出水を環流路を介して上記浸透桝に環流させて、浸出水を循環させるようにしている。
【００１４】
そして、浸透桝は、埋立廃棄物層の表層部に凹状の浸透桝本体を形成し、同浸透桝本体内に栗石や砕石等の充填材を充填して充填材層を形成し、同充填材層の一部を環流路と接続する環流路接続部となし、同環流路接続部を除く充填材層の上面を覆土層により被覆している。
【００１５】
しかも、浸透桝本体の底部に略水平方向に伸延しかつ周壁に連通孔を形成した横管を配管し、同横管から覆土層よりも上方へ伸延する竪管を立設して、同竪管の上端開口部を外気と連通させている。
【００１６】
さらには、横管の周壁には、同横管の伸延方向に沿って伸延する長孔を形成している。
【００１７】
【実施例】
以下に、本発明の実施例を、図面を参照しながら説明する。
【００１８】
図1及び図２に示すＡは、本発明に係る廃棄物の埋立処分システムであり、同埋立処分システムＡは、基礎地盤１上に埋め立てて形成した埋立廃棄物層２の表層部に、浸出水を一時貯留すると共に埋立廃棄物層２内に浸透させる浸透桝３を設ける一方、埋立廃棄物層２の深層部に浸出水を集水すると共に排水する浸出水集・排水管４を設けて、同浸出水集・排水管４から排水された浸出水を環流路５を介して上記浸透桝３に環流させて、浸出水を循環させるようにしている。
【００１９】
ここで、浸出水集・排水管４は、内部に浸出水集・排水路を形成しているものであり、同浸出水集・排水管４には、汚水処理場に余剰の浸出水を搬送するための搬送流路６を接続している。７は浸出水流下方向である。
【００２０】
浸透桝３は、埋立廃棄物層２の表層部に凹状の浸透桝本体10を形成し、同浸透桝本体10内に栗石や砕石等の充填材11を充填して充填材層12を形成し、同充填材層12の中央部に環流路５と接続する環流路接続部13を形成して、同環流路接続部13を除く充填材層12の上面を不織布等の目潰し材14を介して覆土層15により被覆している。
【００２１】
そして、浸透桝本体10は、上下幅（深さ）よりも前後・左右幅を広幅に形成して扁平な凹部空間を形成するようにしており、底部10aを中央部10bから左右側方へ向けてそれぞれ上り傾斜状（船底形状）に形成して、埋立廃棄物層２と面接する底部10aの面積を可及的に大きく設定すると共に、中央部10bの深さが可及的に深くならないように設定している。
【００２２】
このようにして、浸透桝本体10の上面の面積を広く形成して、同浸透桝本体10内に貯留している浸出水の蒸発面積を大きく確保して、蒸発を促進させることができるようにしている。
【００２３】
しかも、底部10aの面積も可及的に大きく設定しているため、同底部10aを通して浸出水を埋立廃棄物層２へ効率良く浸透させることができる。
【００２４】
さらには、浸透桝本体10の上下幅（深さ）は可及的に小さく設定することにより、充填材層12に鉄バクテリア等が繁殖して浸透桝本体10が閉塞された場合にも、同浸透桝本体10を堀り起こして行う維持・管理作業が楽に行えるようにしている。
【００２５】
浸透桝本体10の底部10aには、中央部10bと左右側縁部10c,10cにそれぞれ沿わせて略水平方向に伸延しかつ周壁に連通孔20,21,21を形成した横管22,23,23を配管し、各横管22,23,23の前後端部から覆土層15よりも上方へ伸延する竪管24,24,25,25,25,25を立設して、各竪管24,24,25,25,25,25の上端開口部24a,24a,25a,25a,25a,25aを外気と連通させている。
【００２６】
このようにして、横管22,23,23と竪管24,24,25,25,25,25を通して浸透桝本体10内のガス抜きが容易に行えるようにしている。
【００２７】
しかも、貯留している浸出水が連通孔20を通して竪管24,24,25,25,25,25中に流入していることから、各竪管24,24,25,25,25,25中の浸出水を通して貯留浸出水の水位を測定することができ、かかる水位の測定から浸透桝本体10の閉塞状況等を判断することができて、適切な対応を迅速に行うことができる。
【００２８】
ここで、中央部に配置した横管22の周壁の左右側部には、図３にも示すように、同横管22の伸延方向に沿って伸延する複数の長孔26を前後方向に間隔を開けて形成している。
【００２９】
このようにして、底部10aの中央部に配置した横管22の周囲には微粒子状の土が滞積して連通孔20を塞ぎ易いが、かかる微粒子状の土を、長孔26を通して横管22→竪管24,24→外部に吸引して排出することができるようにしている。
【００３０】
従って、前記した竪管24を通した水位の測定を正確に行うことができる。
【００３１】
【発明の効果】
本発明によれば、次のような効果が得られる。
【００３２】
本発明では、基礎地盤上に埋め立てて形成した埋立廃棄物層の表層部に、浸出水を一時貯留すると共に埋立廃棄物層内に浸透させる浸透桝を設ける一方、埋立廃棄物層の深層部に浸出水を集水すると共に排水する浸出水集・排水路を設けて、同浸出水集・排水路から排水された浸出水を環流路を介して上記浸透桝に環流させて、浸出水を循環させる埋立処分システムであって、浸透桝は、埋立廃棄物層の表層部に形成した凹状の浸透桝本体と、同浸透桝本体内に栗石や砕石を充填して形成した充填材層と、同充填材層の中央部に形成して環流路と接続した環流路接続部と、同環流路接続部を除く充填材層の上面を被覆した覆土層とを有し、浸透桝本体の底部は、中央部から左右側方へ向けてそれぞれ上り傾斜状に形成して船底形状とし、浸透桝本体の底部の中央部と左右側縁部には、周壁に連通孔を形成した横管をそれぞれ水平方向に伸延させて設け、同各横管の前後端部には、前記覆土層よりも上方へ伸延させて上端開口部を外気と連通させた竪管を設け、同各竪管中の浸出水を通して浸透桝本体内における貯留浸出水の水位を測定することにより浸透桝本体の閉塞状況を判断可能としている。
【００３３】
このようにして、埋立廃棄物層内の浸出水を浸出水集・排水路→環流路→浸透桝→埋立廃棄物層に環流させて遮水機能を良好に確保することができると共に、浸出水を浸透桝内に一時貯留させるようにしているため、同浸透桝に貯留された浸出水や雨水等は埋立廃棄物層内に浸透される前に蒸発されやすくなる。
【００３４】
その結果、浸透桝内にて浸出水を大幅に削減することができて、汚水処理場に搬送される浸出水量を大幅に低減させることができ、同汚水処理場での汚水処理の負荷、さらには、汚水処理コスト負担を大幅に低減させることができる。
【００３６】
また、浸透桝は、浸出水が蒸発する面の面積が可及的に大きくなるように設定することにより、同浸出水の蒸発効率を高めることができると共に、同じ容積でも深さを小さく設定することにより、鉄バクテリア等の繁殖により充填材層が閉塞された場合にも、かかる浸透桝を容易に掘り起こすことができて、同浸透桝の維持・管理を低コストにて行うことができる。
【００３７】
この際、浸出水は覆土層と接触しているため、水の毛管現象により覆土層中に浸透し易い状態にあり、その結果、かかる浸出水が覆土層の表面から蒸発されやすくなる。また、浸透水により覆土層中の含水率が高い状態となっているため、雨水が埋立廃棄物層内に浸透するのを抑制することができると共に、雨水を表流水として排除することができ、その結果、浸出水発生量を削減することができる。
【００３８】
しかも、浸透桝内において、浸出水を循環により散水すると共に、一時的に内部滞水化させることにより、浸透桝内の栗石や砕石等の充填材の表面に生物膜が形成され、この生物膜に浸出水が接触することにより、ＢＯＤ等の有機物分解現象が生起されて、浸出水が浄化される。
【００３９】
これは、浸透桝内において、汚水の生物処理の一種である散水ろ床法を適用した形態となり、浸出水の蒸発促進効果と、有機物の分解促進による浸出水の浄化効果とを同時に図ることができるものである。
【００４２】
さらに、貯留している浸出水が連通孔を通して竪管中に流入していることから、同竪管中の浸出水を通して貯留浸出水の水位を測定することができ、かかる水位の測定から浸透桝の閉塞状況等を判断することができて、適切な対応を迅速に行うことができる。
【図面の簡単な説明】
【図１】本発明にかかる廃棄物の埋立処分システムの断面正面説明図。
【図２】同埋立処分システムの一部切欠平面図。
【図３】同埋立処分システムの上部の断面側面図。
【符号の説明】
Ａ  埋立処分システム
１  基礎地盤
２  埋立廃棄物層
３  浸透桝
４  浸出水集・排水管
５  環流路
６  搬送流路
【図１】
0004699619.tif 000002
【図２】
0004699619.tif 000003
【図３】
0004699619.tif 000004